(57)【特許請求の範囲】
【請求項１】
１枚のブランク板を折り畳んで成形されるカートンであって、
前記ブランク板は、上重ね側面板、天面板、連結板、底面板、下重ね側面板とがこの順に配列され、前記天面板には上重ね前面板と上重ね後面板が、前記底面板には下重ね前面板と下重ね後面板とが配設され、
前記天面板と上重ね前面板には各収納部にジッパーが連続して穿設され、
前記底面板は、収納部のカートン内方側の外壁間に空隙を形成するようにカートンの側面視、略Λ字状に折り曲げて複数の収容部を現出させる仕切部が前記連結板と平行に形成され、
前記仕切部の高さは、カートンの側壁と略同一であり、かつ
前記仕切部の下端を覆って前記底面板に貼着される折返板が連設されることを特徴とする、複数の収容部を備えたカートン。
【発明の詳細な説明】
【０００１】
【発明の属する技術分野】
本発明は、１枚のブランク板を折り畳んで成形される複数の収容部を備えたカートンに関する。
【０００２】
【従来の技術】
従来、カートン内に複数の収容部を設ける場合、予め収容部が形成されたプラスチック製の成形トレイ等をそのカートン内に容入したり、カートンを構成する底面板等の一部を接着剤で貼り合わせて仕切部を形成したりしていた。
【０００３】
【発明が解決しようとする課題】
しかしながら、上記したような成形トレイを用いると、製造コストが増加し、廃棄する際にも非常に面倒になる。また、カートンの一部を貼り合わせて仕切部を設ける場合でも、その接着剤分のコストが余計にかかる不具合があり、更には、外圧力に対する強度にも乏しいという不具合がある。
そこで、本発明は、低コストで製造できる上に十分に強度が保てる複数の収容部を備えたカートンを得ることを目的とするものである。
【０００４】
【課題を解決するための手段】
以上のような目的を達成するために、本発明は、次のようなカートンを提供するものである。すなわち、１枚のブランク板を折り畳んで成形されるカートンであって、前記ブランク板は、上重ね側面板、天面板、連結板、底面板、下重ね側面板とがこの順に配列され、前記天面板には上重ね前面板と上重ね後面板が、前記底面板には下重ね前面板と下重ね後面板とが配設され、前記天面板と上重ね前面板には各収納部にジッパーが連続して穿設され、前記底面板は、収納部のカートン内方側の外壁間に空隙を形成するようにカートンの側面視、略Λ字状に折り曲げて複数の収容部を現出させる仕切部が前記連結板と平行に形成され、前記仕切部の高さは、カートンの側壁と略同一であることを特徴とする、複数の収容部を備えたカートンである。そして、更に、前記仕切部の下端を覆って前記底面板に貼着される折返板が連設されることを特徴とするものである。
【０００５】
【発明の実施の形態】
以下、本発明の実施の形態について図面に示す実施例を基に説明する。
図１は本発明にかかるカートンのブランク板を示す展開図であり、図２はそのカートンの成形途中を示す斜視図、図３はそのカートン成形後の一部切欠斜視図、図４はそのカートン成形後の底面側から見た斜視図である。また、図５は別実施例のカートンのブランク板を示す展開図であり、図６はそのカートン成形後の底面側から見た斜視図である。
なお、本実施例においては、収容部を２個設ける場合を例にとって説明するが、収容部の数は特に限定されるものではない。また、カートンの形状等も、図示された実施例のものに限定されるものではなく、本発明の精神の範囲内において、適宜設計変更可能なものである。また、少なくとも収容部の内面には、耐油コーティングを施すことが好ましく、カートンの材質としては、斤量が２００〜３５０ｇ／ｍ2のコートボールや板紙などの古紙率が高い厚紙類でもよい。
【０００６】
図１において、（１）は天面板で、天面板（１）の一方の短辺側に折線（ａ）を介して上重ね側面板（２）が連設され、他方の短辺側に折線（ｂ）を介して連結板（３）が連設されている。そして、その連結板（３）に折線（ｃ）を介して底面板（４）の一方の短辺側が連設され、底面板（４）の他方の短辺側には折線（ｄ）を介して下重ね側面板（５）が連設されている。また、天面板（１）の一方の長辺側には折線（ｅ）を介して上重ね前面板（６）が連設され、他方の長辺側には折線（ｆ）を介して上重ね後面板（７）が連設されている。そして、底面板（４）の一方の長辺側には折線（ｇ）を介して下重ね前面板（８）が連設され、他方の長辺側には折線（ｈ）を介して下重ね後面板（９）が連設されている。その他、連結板（３）にはそれぞれ折線（ｍ）（ｎ）を介してサイドフラップ（１０）（１１）が連設され、下重ね側面板（５）にもそれぞれ折線（ｓ）（ｔ）を介してサイドフラップ（１２）（１３）が連設されている。
【０００７】
また、底面板（４）の中央部には短辺に平行に折曲線（ｋ）が設けられ、その折曲線（ｋ）の両側には、連結板（３）や下重ね側面板（５）の幅とほぼ同じ長さを隔てて折曲線（ｐ）（ｒ）がそれと平行に設けられている。そして、下重ね前面板（８）及び下重ね後面板（９）は、折曲線（ｐ）及び折曲線（ｒ）の延長部分で２つに分割されており、それら２つに分割された下重ね前面板（８）（８）及び下重ね後面板（９）（９）の間には、略扇型形状のサイドフラップ（１４）（１６）及びサイドフラップ（１５）（１７）が底面板（４）にそれぞれ折線（ｇ）（ｈ）を介して連設されている。この折曲線（ｋ）（ｐ）（ｒ）及びサイドフラップ（１４）（１５）（１６）（１７）は、底面板（４）に仕切部（２０）を形成し、２個の収容部を現出させるためのものである。
【０００８】
ここでいう、折曲線（ｋ）（ｐ）（ｒ）とは、折線に貫通する切り込み、もしくはブランク板の厚さの半分程度の深さの非貫通の切り込みを所定間隔で入れて形成した、いわゆるミシン目状の折線のことであり、ある程度の厚さを持つ厚紙類でも容易に折り曲げられるようにするとともに、折り曲げたブランク板に、元に戻ろうとする反発性をなくす、いわゆるデッドホールド性を持たせるようにするものである。このような折曲線（ｋ）（ｐ）（ｒ）によれば、収容部の成形がしやすくなり、カートンを容易に成形できるようになる。その他、下重ね前面板（８）には切り込み（８ａ）が穿設されており、天面板（１）及び上重ね前面板（６）にはジッパー（Ｊ）が連続して穿設されている。また、底面板（４）には、例えば図１の仮想線で示すような星型形状の窓部（Ｗ）を設けるようにしてもよく、この場合は、おまけなどの景品を入れる収容部となる。
【０００９】
カートンを成形するには、まず、各折線及び折曲線（ｋ）（ｐ）（ｒ）を折り曲げて、図２で示すように、サイドフラップ（１０）（１２）（１４）（１６）を下重ね前面板（８）に貼着し、サイドフラップ（１１）（１３）（１５）（１７）を下重ね後面板（９）に貼着する。このとき、折曲線（ｋ）（ｐ）（ｒ）で形成される仕切部（２０）は、収容部のカートン内方側の外壁間に所定の空隙が形成されるように、側面視で略Λ字状になるように形成する。これはカートン成形後において、仕切部（２０）の強度を保つためであり、このような形状にするとともに、その仕切部（２０）の外側縁（２１）をカートンの側壁、即ち下重ね前面板（８）や下重ね後面板（９）と略同一平面上に位置させるようにすると、その前面板や後面板方向からの外圧力を略二等辺三角形状の３方向に分散させることができ、低コストな薄い板紙等で成形しても十分に外圧力に耐えられるようになる。
【００１０】
こうして収容部が成形できたら、内容物を入れるが、仕切部（２０）が略Λ字状になっているので、その収容部のカートン内方側の内壁がテーパー状になり、内容物を入れやすくなっている。その後、折線（ｂ）をヒンジとして天面板（１）をそれら収容部に覆い被せ、下重ね前面板（８）と下重ね後面板（９）と下重ね側面板（５）に、それぞれ上重ね前面板（６）と上重ね後面板（７）と上重ね側面板（２）を貼着し、図３、図４で示すようなカートンが成形される。
カートンを開封するときには、上重ね前面板（６）と天面板（１）に連続して設けたジッパー（Ｊ）を切り開き、そのまま各収容部ごとに内容物を取り出せばよく、従来技術にあるような成形トレイがなくても十分に実用性がある。なお、下重ね前面板（８）には切り込み（８ａ）が設けられているので、上重ね前面板（６）のジッパー（Ｊ）によって形成された係止片（６ａ）をその切り込み（８ａ）に差し込むことによって、カートンを再封することができる。
【００１１】
また、図５、図６には別実施例のカートンが示されている。この図５、図６で示すカートンは、上重ね前面板（６）と上重ね後面板（７）の中央に、所定の大きさの折返板（１８）（１９）が折線（ｕ）（ｖ）を介してそれぞれ連設されており、図１乃至図４で示すカートンよりも仕切部（２０）の強度が高められるようになっている。すなわち、図６で示すように、仕切部（２０）の外側縁（２１）を覆い、かつ、その仕切部（２０）近傍の底面板（４）にその折返板（１８）（１９）を折り返して貼着することにより、仕切部（２０）の外側縁（２１）がしっかりとホールドされるようになっている。このような構成によれば、上記した前面板や後面板方向からの外圧力に対して、更に強度が増すだけではなく、側面板方向からの外圧力に対しても強度を増すことができる。
【００１２】
【実施例】
ここで、更に、以上のようなカートンにおける具体的な耐圧加重データを示すが、説明の便宜上、図３におけるカートンの長手方向をＸ方向、幅方向をＹ方向、高さ方向をＺ方向とし、それぞれの方向から外圧力を加えた結果を示す。なお、このときのカートンの材質は、斤量が２７０ｇ／ｍ2のコートボールであり、その形状は長さ：１６０．５ｍｍ×幅：９８ｍｍ×高さ：４５ｍｍである。また、カートン（Ａ）は、折返板（１８）（１９）を設けていないもの、カートン（Ｂ）は折返板（１８）（１９）を設けてあるものであり、比較例として仕切部（２０）が設けられていないカートン（Ｃ）を用意した。
【００１３】
0004724899.tif 000002
【００１４】
この表から明らかなように、略Λ字状の仕切部（２０）を設けたカートン（Ａ）（Ｂ）は、仕切部（２０）を設けていないカートン（Ｃ）に比べて、Ｙ方向及びＺ方向の外圧力に対して十分に強度が保たれていることが判明した。また、折返板（１８）（１９）を設けたカートン（Ｂ）の方が、折返板（１８）（１９）を設けていないカートン（Ａ）に比べて、Ｘ方向の外圧力に対して強度が増すことが判明した。
【００１５】
【発明の効果】
以上のように、本発明によれば、１枚のブランク板を折り畳んで成形されるカートンの底面板の一部を側面視で略Λ字状に折り曲げて、複数の収容部を現出させる仕切部を形成するとともに、その仕切部の外側縁をカートンの側壁と略同一平面上に位置させたので、成形効率がよい上に、仕切部に加えられる外圧力に対しても十分に強度を確保することができる。したがって、従来技術のような成形トレイを不要にすることができ、かつ、低コストな板紙等での成形も可能になるので、環境にやさしい、複数の収容部を備えたカートンを得ることができる。また、仕切部の外側縁を覆って底面板に貼着される折返板を更に設ければ、より一層強度を増すことができる。
【図面の簡単な説明】
【図１】本発明にかかるカートンのブランク板を示す展開図
【図２】同上のカートンの成形途中を示す斜視図
【図３】同上のカートン成形後の一部切欠斜視図
【図４】同上のカートン成形後の底面側から見た斜視図
【図５】別実施例のカートンのブランク板を示す展開図
【図６】同上のカートン成形後の底面側から見た斜視図
【符号の説明】
１  天面板
２  上重ね側面板
３  連結板
４  底面板
５  下重ね側面板
６  上重ね前面板
７  上重ね後面板
８  下重ね前面板
９  下重ね後面板
１０〜１７  サイドフラップ
１８、１９  折返板
２０  仕切部
Ｊ  ジッパー
【図１】
0004724899.tif 000003
【図２】
0004724899.tif 000004
【図３】
0004724899.tif 000005
【図４】
0004724899.tif 000006
【図５】
0004724899.tif 000007
【図６】
0004724899.tif 000008